【手続補正書】
【提出日】平成19年12月12日(2007.12.12)
【手続補正１】
【補正対象書類名】明細書
【補正対象項目名】特許請求の範囲
【補正方法】変更
【補正の内容】
【特許請求の範囲】
【請求項１】
高度に伸縮自在な非晶質異方性溶融体形成ポリマーを形成するための方法であって、
【化１】
2001200034.tif 000001
〔式中、Ｒ1は、独立に、水素；および、Ｃ1〜Ｃ6アルキルからなる群より選択される。〕
およびそれらの混合物からなる群より選択される繰り返し単位Ｖを、繰り返し単位Ｉ、ＩＩ、ＩＩＩおよびＩＶを含むポリマーに配合することを含み、
繰り返し単位Ｉが、
【化２】
2001200034.tif 000002
であり；
繰り返し単位ＩＩが、
【化３】
2001200034.tif 000003
であり；
繰り返し単位ＩＩＩが、
【化４】
2001200034.tif 000004
〔式中、Ａｒ1は、
【化５】
2001200034.tif 000005
およびそれらの混合物からなる群より選択される。〕
であり；
繰り返し単位ＩＶが、
【化６】
2001200034.tif 000006
〔式中、Ａｒ2は、
【化７】
2001200034.tif 000007
およびそれらの混合物からなる群より選択され、Ｘは、独立に、ＯおよびＮＲ2（ここで、Ｒ2は、独立に、水素；および、Ｃ1〜Ｃ6アルキルからなる群より選択される。）からなる群より選択される。〕
であり；
本質的に、約１５〜約６０ｍｏｌ％の繰り返し単位Ｉ；約１５〜約６０ｍｏｌ％の繰り返し単位ＩＩ；約５〜約２０ｍｏｌ％の繰り返し単位ＩＩＩ；約５〜約２０ｍｏｌ％の繰り返し単位ＩＶ；および、約７〜約１５ｍｏｌ％の繰り返し単位Ｖからなり；かつ、
（ａ）繰り返し単位ＩおよびＩＩは、合わせて、ポリマー中に、約５０〜約７５ｍｏｌ％の量存在し；
（ｂ）ポリマーは、式：
【化８】
2001200034.tif 000008
で表される繰り返し単位を少なくとも約５ｍｏｌ％含有するが、
ただし、ポリマーが、単位（Ｖａ）、（Ｖｂ）および（Ｖｄ）およびそれらの混合物からなる群より選択される単位の合計約０〜約５ｍｏｌ％と組合わさって、
【化９】
2001200034.tif 000009
をも含有する場合には、繰り返し単位ＩＩは、ポリマー中に少なくとも約３０ｍｏｌ％の量存在するポリマーを生ずる、前記方法。
【請求項２】
繰り返し単位Ｖが、
【化１０】
2001200034.tif 000010
である、請求項１に記載の方法。
【請求項３】
繰り返し単位Ｖが、
【化１１】
2001200034.tif 000011
およびそれらの混合物からなる群より選択される、請求項１に記載の方法。
【請求項４】
繰り返し単位Ｖが、ポリマー中に、約１０〜約１５ｍｏｌ％の量存在する、請求項１に記載の方法。
【請求項５】
繰り返し単位Ｖが、ポリマー中に、約１０〜約１５ｍｏｌ％の量存在する、請求項３に記載の方法。
【請求項６】
繰り返し単位ＩＶが、
【化１２】
2001200034.tif 000012
である、請求項１に記載の方法。
【請求項７】
繰り返し単位ＩＶが、
【化１３】
2001200034.tif 000013
である、請求項３に記載の方法。
【請求項８】
繰り返し単位ＩＩＩが、
【化１４】
2001200034.tif 000014
である、請求項７に記載の方法。
【請求項９】
ＸがＯである、請求項３に記載の方法。
【請求項１０】
繰り返し単位ＩＩＩが、
【化１５】 
2001200034.tif 000015
およびそれらの混合物からなる群より選択される、請求項１に記載の方法。
【請求項１１】
繰り返し単位ＩＩＩが、
【化１６】
2001200034.tif 000016
およびそれらの混合物からなる群より選択される、請求項３に記載の方法。
【請求項１２】
繰り返し単位Ｉが、ポリマー中に、約３０〜約３５ｍｏｌ％の量存在し；繰り返し単位ＩＩが、ポリマー中に、約３０〜約３５ｍｏｌ％の量存在し；繰り返し単位ＩＩＩが、ポリマー中に、約１０〜約１５ｍｏｌ％の量存在し；繰り返し単位ＩＶが、ポリマー中に、約１０〜約１５ｍｏｌ％の量存在し；繰り返し単位Ｖが、ポリマー中に、約１０〜約１５ｍｏｌ％の量存在する、請求項１に記載の方法。
【請求項１３】
繰り返し単位Ｉが、ポリマー中に、約３０〜約３５ｍｏｌ％の量存在し；繰り返し単位ＩＩが、ポリマー中に、約３０〜約３５ｍｏｌ％の量存在し；繰り返し単位ＩＩＩが、ポリマー中に、約１０〜約１５ｍｏｌ％の量存在し；繰り返し単位ＩＶが、ポリマー中に、約１０〜約１５ｍｏｌ％の量存在し；繰り返し単位Ｖが、ポリマー中に、約１０〜約１５ｍｏｌ％の量存在する、請求項３に記載の方法。
【請求項１４】
繰り返し単位Ｉが、ポリマー中に、約３０〜約３５ｍｏｌ％の量存在し；繰り返し単位ＩＩが、ポリマー中に、約３０〜約３５ｍｏｌ％の量存在し；繰り返し単位ＩＩＩが、ポリマー中に、約１０〜約１５ｍｏｌ％の量存在し；繰り返し単位ＩＶが、ポリマー中に、約１０〜約１５ｍｏｌ％の量存在し；繰り返し単位Ｖが、ポリマー中に、約１０〜約１５ｍｏｌ％の量存在する、請求項８に記載の方法。
【請求項１５】 
繰り返し単位Ｉ、ＩＩ、ＩＩＩ、ＩＶおよびＶから本質的になる高度に伸縮自在な非晶質異方性溶融体形成ポリマーであり、
繰り返し単位Ｉが、
【化１７】
2001200034.tif 000017
であり；
繰り返し単位ＩＩが、
【化１８】
2001200034.tif 000018
であり；
繰り返し単位ＩＩＩが、
【化１９】
2001200034.tif 000019
〔式中、Ａｒ1は、
【化２０】
2001200034.tif 000020
およびそれらの混合物からなる群より選択される。〕
であり；
繰り返し単位ＩＶが、
【化２１】
2001200034.tif 000021
〔式中、Ａｒ2は、
【化２２】
2001200034.tif 000022
およびそれらの混合物からなる群より選択され、Ｘは、独立に、ＯおよびＮＲ2（ここで、Ｒ2は、独立に、水素；および、Ｃ1〜Ｃ6アルキルからなる群より選択される。）からなる群より選択される。〕
であり；
繰り返し単位Ｖが、
【化２３】
2001200034.tif 000023
〔ここでＲ1は、独立に、水素；および、Ｃ1〜Ｃ6アルキルからなる群より選択される。〕
およびそれらの混合物からなる群より選択され；
繰り返し単位Ｉが、ポリマー中に、約１５〜約６０ｍｏｌ％の量存在し；繰り返し単位ＩＩが、ポリマー中に、約１５〜約６０ｍｏｌ％の量存在し；繰り返し単位ＩＩＩが、ポリマー中に、約５〜約２０ｍｏｌ％の量存在し；繰り返し単位ＩＶが、ポリマー中に、約５〜約２０ｍｏｌ％の量存在し；繰り返し単位Ｖが、ポリマー中に、約７〜約１５ｍｏｌ％の量存在し；かつ、
（ａ）繰り返し単位ＩおよびＩＩは、合わせて、ポリマー中に、約５０〜約７５ｍｏｌ％の量存在し；
（ｂ）ポリマーは、式：
【化２４】
2001200034.tif 000024
で表される繰り返し単位を少なくとも約５ｍｏｌ％含有するが、
ただし、ポリマーが、単位（Ｖａ）、（Ｖｂ）および（Ｖｄ）ならびにそれらの混合物からなる群より選択される単位の合計０〜約５ｍｏｌ％と組合わさって、
【化２５】
2001200034.tif 000025
をも含有する場合には、繰り返し単位ＩＩは、ポリマー中に、少なくとも約３０ｍｏｌ％の量存在する、前記ポリマー。
【請求項１６】
繰り返し単位Ｖが、
【化２６】
2001200034.tif 000026
である、請求項１５に記載のポリマー。
【請求項１７】
繰り返し単位Ｖが、
【化２７】
2001200034.tif 000027
およびそれらの混合物からなる群より選択される、請求項１５に記載のポリマー。
【請求項１８】
繰り返し単位Ｖが、ポリマー中に、約１０〜約１５ｍｏｌ％の量存在する、請求項１５に記載のポリマー。
【請求項１９】
繰り返し単位Ｖが、ポリマー中に、約１０〜約１５ｍｏｌ％の量存在する、請求項１７に記載のポリマー。
【請求項２０】
繰り返し単位ＩＶが、
【化２８】
2001200034.tif 000028
である、請求項１５に記載のポリマー。
【請求項２１】
繰り返し単位ＩＶが、
【化２９】
2001200034.tif 000029
である、請求項１７に記載のポリマー。
【請求項２２】
繰り返し単位ＩＩＩが、
【化３０】
2001200034.tif 000030
である、請求項１７に記載のポリマー。
【請求項２３】
繰り返し単位ＩＶが、
【化３１】
2001200034.tif 000031
であり；
繰り返し単位ＩＩＩが、
【化３２】
2001200034.tif 000032
およびそれらの混合物からなる群より選択される、請求項１６に記載のポリマー。
【請求項２４】
繰り返し単位ＩＩＩが、
【化３３】 
2001200034.tif 000033
およびそれらの混合物からなる群より選択される、請求項１５に記載のポリマー。
【請求項２５】
繰り返し単位ＩＩＩが、
【化３４】
2001200034.tif 000034
およびそれらの混合物からなる群より選択される、請求項１７に記載のポリマー。
【請求項２６】
繰り返し単位ＩＩＩが、
【化３５】
2001200034.tif 000035
およびそれらの混合物からなる群より選択される、請求項２０に記載のポリマー。
【請求項２７】
繰り返し単位Ｉが、ポリマー中に、約３０〜約３５ｍｏｌ％の量存在し；繰り返し単位ＩＩが、ポリマー中に、約３０〜約３５ｍｏｌ％の量存在し；繰り返し単位ＩＩＩが、ポリマー中に、約１０〜約１５ｍｏｌ％の量存在し；繰り返し単位ＩＶが、ポリマー中に、約１０〜約１５ｍｏｌ％の量存在し；繰り返し単位Ｖが、ポリマー中に、約１０〜約１５ｍｏｌ％の量存在する、請求項１５に記載のポリマー。
【請求項２８】
繰り返し単位Ｉが、ポリマー中に、約３０〜約３５ｍｏｌ％の量存在し；繰り返し単位ＩＩが、ポリマー中に、約３０〜約３５ｍｏｌ％の量存在し；繰り返し単位ＩＩＩが、ポリマー中に、約１０〜約１５ｍｏｌ％の量存在し；繰り返し単位ＩＶが、ポリマー中に、約１０〜約１５ｍｏｌ％の量存在し；繰り返し単位Ｖが、ポリマー中に、約１０〜約１５ｍｏｌ％の量存在する、請求項１７に記載のポリマー。
【請求項２９】
繰り返し単位Ｉが、ポリマー中に、約３０〜約３５ｍｏｌ％の量存在し；繰り返し単位ＩＩが、ポリマー中に、約３０〜約３５ｍｏｌ％の量存在し；繰り返し単位ＩＩＩが、ポリマー中に、約１０〜約１５ｍｏｌ％の量存在し；繰り返し単位ＩＶが、ポリマー中に、約１０〜約１５ｍｏｌ％の量存在し；繰り返し単位Ｖが、ポリマー中に、約１０〜約１５ｍｏｌ％の量存在する、請求項２１に記載のポリマー。
【請求項３０】
繰り返し単位Ｉ、ＩＩ、ＩＩＩ、ＩＶおよびＶから本質的になる高度に伸縮自在な非晶質異方性溶融体形成ポリマーであり、
繰り返し単位Ｉが、
【化３６】
2001200034.tif 000036
であり；
繰り返し単位ＩＩが、
【化３７】
2001200034.tif 000037
であり；
繰り返し単位ＩＩＩが、
【化３８】
2001200034.tif 000038
〔式中、Ａｒ1は、
【化３９】
2001200034.tif 000039
およびそれらの混合物からなる群より選択される。〕
であり；
繰り返し単位ＩＶが、
【化４０】
2001200034.tif 000040
〔式中、Ａｒ2は、
【化４１】
2001200034.tif 000041
およびそれらの混合物からなる群より選択される。〕
であり；
繰り返し単位Ｖが、
【化４２】
2001200034.tif 000042
〔ここで、Ｒ1は、水素である。〕
およびそれらの混合物からなる群より選択され；
前記ポリマーが、本質的に、約２０〜約４０ｍｏｌ％の繰り返し単位Ｉ；約２０〜約４０ｍｏｌ％の繰り返し単位ＩＩ；約１０〜約１５ｍｏｌ％の繰り返し単位ＩＩＩ；約１０〜約１５ｍｏｌ％の繰り返し単位ＩＶ；および、約１０〜約１５ｍｏｌ％の繰り返し単位Ｖからなり；かつ、
（ａ）繰り返し単位ＩおよびＩＩが、合わせて、ポリマー中に、約６０〜約７０ｍｏｌ％の量存在し；
（ｂ）ポリマーが、式：
【化４３】
2001200034.tif 000043
で表される繰り返し単位を少なくとも約５ｍｏｌ％含有し；
（ｃ）ポリマーが、式：
【化４４】
2001200034.tif 000044
で表される繰り返し単位を少なくとも約５ｍｏｌ％含有する、前記ポリマー。
【請求項３１】
繰り返し単位Ｉ、ＩＩ、ＩＩＩ、ＩＶおよびＶから本質的になる高度に伸縮自在な非晶質異方性溶融体形成ポリマーであり、
繰り返し単位Ｉが、
【化４５】
2001200034.tif 000045
であり；
繰り返し単位ＩＩが、
【化４６】
2001200034.tif 000046
であり；
繰り返し単位ＩＩＩが、
【化４７】
2001200034.tif 000047
であり；
繰り返し単位ＩＶが、
【化４８】
2001200034.tif 000048
であり；
繰り返し単位Ｖが、
【化４９】
2001200034.tif 000049
であり；
前記ポリマーが、本質的に、約３０〜約３５ｍｏｌ％の繰り返し単位Ｉ；約３０〜約３５ｍｏｌ％の繰り返し単位ＩＩ；約１０〜約１５ｍｏｌ％の繰り返し単位ＩＩＩ；約１０〜約１５ｍｏｌ％の繰り返し単位ＩＶ；および、約１０〜約１５ｍｏｌ％の繰り返し単位Ｖからなる、前記ポリマー。
【請求項３２】
繰り返し単位Ｖが、
【化５０】
2001200034.tif 000050
である、請求項２９に記載のポリマー。
【請求項３３】
請求項１５のポリマーから製造される造形物品。
【請求項３４】
請求項３０のポリマーから製造される造形物品。
【請求項３５】
請求項３３に記載の造形物品であって、多層構造体であり、当該非晶質異方性溶融体形成ポリマーがバリヤー層として存在する、前記造形物品。
【請求項３６】
請求項３４に記載の造形物品であって、多層構造体であり、当該非晶質異方性溶融体形成ポリマーがバリヤー層として存在する、前記造形物品。
【請求項３７】
請求項１５のポリマーから形成されるフィルム。
【請求項３８】
請求項３０のポリマーから形成されるフィルム。